(57)【要約】【課題】  釣り人の嗜好に沿って、釣り人にとって機能的にもデザイン的にも使い勝手の良いものを標準品として装着されているハンドルと交換して、複数の釣具メーカーの釣り用リールに共通で装着できる釣り用リールのハンドルを提供することにある。【解決手段】  釣り用のリール本体に回動自在に設けられたハンドル軸にワッシャを介してハンドルを着脱自在に取り付ける釣り用リールのハンドルにおいて、リールメーカーに対応させて、ハンドル軸のワッシャに挿入される挿入部と外形形状が対応した形状の挿入口が穿設された複数個のワッシャと、ハンドル軸に螺合してハンドルを着脱自在に取り付けるナットとを同梱した。【選択図】図１
0003166938.tif 000002
【実用新案登録請求の範囲】
【請求項１】
釣り用のリール本体に回動自在に設けられたハンドル軸にワッシャを介してハンドルを着脱自在に取り付ける釣り用リールのハンドルにおいて、リールメーカーに対応させて、ハンドル軸のワッシャに挿入される挿入部と外形形状が対応した形状の挿入口が穿設された複数個のワッシャと、ハンドル軸に螺合してハンドルを着脱自在に取り付けるナットとを同梱したことを特徴とする釣り用リールのハンドル。
【考案の詳細な説明】
【技術分野】
【０００１】  本考案は、釣り用リールのハンドルに関するものである。
【背景技術】
【０００２】  釣り用のリールには購入時にリールメーカー標準のハンドルが取り付けられているが、釣り人によっては、その標準ハンドルが感触・指とのフィット感・振動により伝わってくる感度等の機能面・デザイン面に気に入らない場合があり、気に入ったものに取り替えたいとの要求がある。【０００３】従来、釣り人の要求に応じて釣り用リールのハンドルを独自に開発・販売して使い勝手の良い釣り用リールのハンドルを釣り人に提供しようとした場合、ハンドルを取り付けるハンドル軸の取付部が釣り用リールのメーカーによって異なるため、メーカーに応じた別仕様のハンドルと、ハンドルをリールに取り付けるためのメーカーに応じた別仕様の右利き用、左利き用の取付具をどれかを選択し、同梱したものを製造、在庫、販売しなければならず、メーカー別で色別のハンドル、メーカー別で右利き用、左利き用の取付具を製造管理、在庫しなければならないという問題があった。
【先行技術文献】
【特許文献】
【０００４】
【特許文献１】特開２０１０−２２６９７７号公報
【考案の概要】
【考案が解決しようとする課題】
【０００５】  釣り人の嗜好に沿って、釣り人にとって機能面にもデザイン面にも使い勝手の良いものを、標準品として装着されているハンドルと交換して、複数の釣具メーカーの釣り用リールに共通で装着することができる釣り用リールのハンドルを提供することにある。
【課題を解決するための手段】
【０００６】  本考案の釣り用リールのハンドルは、釣り用のリール本体に回動自在に設けられたハンドル軸にワッシャを介してハンドルを着脱自在に取り付ける釣り用リールのハンドルにおいて、リールメーカーに対応させて、ハンドル軸のワッシャに挿入される挿入部と外形形状が対応した形状の挿入口が穿設された複数個のワッシャと、ハンドル軸に螺合してハンドルを着脱自在に取り付けるナットとを同梱したことを特徴とする。
【考案の効果】
【０００７】  本考案の釣り用リールのハンドルは、釣り用のリール本体に回動自在に設けられたハンドル軸にワッシャを介してハンドルを着脱自在に取り付ける釣り用リールのハンドルにおいて、リールメーカーに対応させて、ハンドル軸のワッシャに挿入される挿入部と外形形状が対応した形状の挿入口が穿設された複数個のワッシャと、ハンドル軸に螺合してハンドルを着脱自在に取り付けるナットとを同梱したことを特徴とするものであり、釣り人の要求に応じて釣り用リールのハンドルを独自に開発・販売して使い勝手の良い釣り用リールのハンドルを釣り人に提供しようとした場合、ハンドルを取り付けるハンドル軸の取付部が釣り用リールのメーカーによって異なるため、メーカーに応じてハンドルを別仕様にするとともに、ハンドルをリールに取り付けるためのメーカーに応じた別仕様の右利き用、左利き用の取付具を製造、在庫、販売しなければならなかったが、ハンドルを共通仕様にしたので、メーカーでの製造管理、販売店の在庫の種類を最小限にすることが出来るという効果がある。
【図面の簡単な説明】
【０００８】
【図１】図１は、本考案の分解斜図
【図２】図２は、本考案の分解斜図
【考案を実施するための形態】
【０００９】以下、本考案の一実施形態の釣り用リールのハンドルの例を図１〜図２を参照して説明する。本考案の釣り用リール１は、釣り用のリール本体２に回動自在に設けられたハンドル軸３にハンドル４を、ワッシャ５を介して着脱自在に取り付ける釣り用リールのハンドルにおいて、リールメーカーに対応させて、ハンドル軸３のワッシャ５に挿入される挿入部６と外形形状が対応した形状の挿入口７が穿設された複数個のワッシャ５と、ハンドル軸３に螺合してハンドル４を着脱自在に取り付けるナット８とを同梱している。
【実施例】
【００１０】釣り用リールメーカーＡ社は、多種の釣り用リールを製造するとともに、右利き用の釣り用リール１ａ、左利き用の釣り用リール１ｂを製造しており、右利き用の釣り用リール１ａのリール本体２ａからメーカーが独自に設計したハンドル軸３ａが突出して設けられており、左利き用の釣り用リール１ｂのリール本体２ｂからメーカーが独自に設計したハンドル軸３ｂが突出して設けられていて、他メーカーのハンドルが使用できないようになっている。【００１１】釣り用リールメーカーＢ社は、多種の釣り用リールを製造するとともに、右利き用の釣り用リール１ｃ、左利き用の釣り用リール１ｄを製造しており、右利き用の釣り用リール１ｃのリール本体２ｃからメーカーが独自に設計したハンドル軸３ｃが突出して設けられており、左利き用の釣り用リール１ｄのリール本体２ｄからメーカーが独自に設計したハンドル軸３ｄが突出して設けられており、他メーカーのハンドルが使用できないようになっているが、ハンドル４はメーカーに関係なく同一のハンドルで対応できるようになっている。【００１２】釣り用リールメーカーＡ社用のワッシャ５ａは、厚み：１．５ミリメートルのステンレス板（ＳＵＳ３０４）でできており、外形形状は、幅：１５ミリメートルの六角形に形成されている。ハンドル軸３ａ、３ｂの挿入部６ａ、６ｂが挿入されるワッシャ５ａの挿入口７ａは、直径７ミリメートルの丸穴を幅４ミリメートルで仕切った上下が円弧状で左右が直線状の形状に形成されている。【００１３】釣り用リールメーカーＢ社用のワッシャ５ｂは、厚み：１．５ミリメートルのステンレス板（ＳＵＳ３０４）でできており、外形形状は、幅：１５ミリメートルの六角形に形成されている。ハンドル軸３ｃ、３ｄの挿入部６ｃ、６ｄが挿入されるワッシャ５ｂの挿入口７ｂは、直径８ミリメートルの丸穴を幅５ミリメートルで仕切った上下が円弧状で左右が直線状の形状に形成されている。【００１４】ハンドル４は、ジェラルミン製のプレート部９と、プレート部９に回動自在に取り付けられた中空のノブ１０とで構成されており、プレート部９の中央部に形成された凹所１１にワッシャ５ａ、５ｂの何れかが着脱自在に保持されるようになっていて、ハンドル軸３ａ、３ｂ、３ｃ、３ｄの挿入部６ａ、６ｂ、６ｃ、６ｄが挿入されたワッシャ５ａ、５ｂが空転防止された状態に保持される。ノブ１０の構造によって、感触・指とのフィット感・振動により伝わってくる感度等の機能面に変化があり、実際にハンドル４を回転させないと、自分の嗜好に合っているかが判らないものである。【００１５】ナット８は、釣り用リールメーカーＡ社の右利き用ナット８ａと左利き用のナット８ｂと、釣り用リールメーカーＢ社の右利き用ナット８ｃと左利き用のナット８ｄとがある。【００１６】釣り用リールメーカーＡ社の右利き用ナット８ａは、ハンドル４の中央部に形成された凹所１１に挿入される径小部１２ａと、ハンドル軸３ａの右利き用のねじ部１３ａに螺着されてハンドル４をハンドル軸３ａに着脱自在に取り付けるネジ部１４ａと、特殊工具で廻される工具用凹所１５とが形成されている。左利き用ナット８ｂは、ハンドル４の中央部に形成された凹所１１に挿入される径小部１２ｂと、ハンドル軸３ｂの左利き用のねじ部１３ｂに螺着されてハンドル４をハンドル軸３ｂに着脱自在に取り付けるネジ部１４ｂと、特殊工具で廻される工具用凹所１５とが形成されている。【００１７】釣り用リールメーカーＢ社の右利き用ナット８ｃは、ハンドル４の中央部に形成された凹所１１に挿入される径小部１２ｃと、ハンドル軸３ｃの右利き用のねじ部１３ｃに螺着されてハンドル４をハンドル軸３ｃに着脱自在に取り付けるネジ部１４ｃと、特殊工具で廻される工具用凹所１５とが形成されている。左利き用ナット８ｄはハンドル４の中央部に形成された凹所１１に挿入される径小部１２ｄと、ハンドル軸３ｄの左利き用のねじ部１３ｄに螺着されてハンドル４をハンドル軸３ｄに着脱自在に取り付けるネジ部１４ｄと、特殊工具で廻される工具用凹所１５とが形成されている。【００１８】メーカーは、釣り用リールメーカーに対応したワッシャとハンドル４を同梱製造し、釣り道具のショップは、前記釣り用リールメーカーに対応したワッシャとハンドル４を同梱したものと、各釣り用リールメーカー用のナットを在庫しておくだけで、ユーザーは、ハンドル部位の色を選択するとともにナットを選択することが可能となり、嗜好のあった釣り用リールのハンドルを得ることができ、リールメーカーに応じたワッシャをハンドル軸に挿入し、ナットを締めるだけで、ハンドル４を取り付けることができる。【００１９】ハンドルを各メーカー共通化したので、在庫のコスト削減が図ることが可能である。【００２０】ハンドル４は、ノブ１０が二つ具備したベイトリール用のもので説明したが、ノブ１０が一つ具備したスピニング用のシングルハンドルのものやスピニング用のダブルハンドルに本考案を採用可能であり、当然採用しても構わないものである。
【符号の説明】
【００２１】１ａ、１ｂ                  釣り用リール
２ａ、２ｂ                  リール本体
３ａ、３ｂ、３ｃ、３ｄ      ハンドル軸
４                          ハンドル
５ａ、５ｂ                  ワッシャ
６ａ、６ｂ、６ｃ、６ｄ      挿入部
７ａ、７ｂ、７ｃ、７ｄ      挿入口
８ａ、８ｂ、８ｃ、８ｄ      ナット
【図１】
0003166938.tif 000003
【図２】
0003166938.tif 000004